(57)【特許請求の範囲】
【請求項１】
端末のチャンネル状態情報送信方法であって、
第１チャンネル状態情報基準信号（ＣＳＩ−ＲＳ；Channel State Information Reference Signal）に対する第１設定情報及び第２ＣＳＩ−ＲＳに対する第２設定情報を受信する段階と、
チャンネル状態情報（Channel State Information）を報告するように設定する第３設定情報を受信する段階と、
前記第１設定情報及び前記第２設定情報に基づいて、前記第１ＣＳＩ−ＲＳ及び前記第２ＣＳＩ−ＲＳを受信する段階と、
前記第３設定情報に基づいて、前記第１ＣＳＩ−ＲＳを基盤とするフィードバックと、前記第２ＣＳＩ−ＲＳを基盤とするフィードバックと、前記第１ＣＳＩ−ＲＳ及び前記第２ＣＳＩ−ＲＳのフィードバックとからなる、チャンネル状態情報を生成する段階と、
前記生成されたチャンネル状態情報を報告する段階と、を含み、
前記第１ＣＳＩ−ＲＳに対するフィードバックは、前記第１ＣＳＩ−ＲＳに相応する第１ランクインジケーター（ＲＩ；Rank Indicator）を含み、前記第２ＣＳＩ−ＲＳに対するフィードバックは、前記第２ＣＳＩ−ＲＳに相応する第２ＲＩを含み、前記第１ＣＳＩ−ＲＳ及び前記第２ＣＳＩ−ＲＳのフィードバックは、前記第１ＲＩと前記第２ＲＩとの積のランク値に基づく
ことを特徴とするチャンネル状態情報送信方法。
【請求項２】
前記チャンネル状態情報を生成する段階は、
前記第１ＣＳＩ−ＲＳに相応する第１プリコーディングマトリックスインジケーター（ＰＭＩ；Precoding Matrix Indicator）及び前記第２ＣＳＩ−ＲＳに相応する第２ＰＭＩを獲得する段階と、
前記第１ＰＭＩ及び前記第２ＰＭＩを適用する場合のチャンネル品質インジケーター（Channel Quality Indicator；ＣＱＩ）を獲得する段階と、を含む
ことを特徴とする、請求項１に記載のチャンネル状態情報送信方法。
【請求項３】
前記第１ＣＳＩ−ＲＳは、第１方向のアンテナポートに該当し、前記第２ＣＳＩ−ＲＳは、第２方向のアンテナポートに該当する
ことを特徴とする、請求項１に記載のチャンネル状態情報送信方法。
【請求項４】
前記チャンネル状態情報を報告する段階は、
前記第１ＰＭＩを送信する段階と、
前記第２ＰＭＩを送信する段階と、
前記第１ＰＭＩ又は第２ＰＭＩの送信時刻と同一の時間区間に前記ＣＱＩを送信する段階を含む
ことを特徴とする、請求項２に記載のチャンネル状態情報送信方法。
【請求項５】
チャンネル状態情報を送信する端末であって、
送受信機と、
第１チャンネル状態情報基準信号（ＣＳＩ−ＲＳ；Channel State Information Reference Signal）に対する第１設定情報及び第２ＣＳＩ−ＲＳに対する第２設定情報を受信するように制御し、
チャンネル状態情報（Channel State Information）を報告するように設定する第３設定情報を受信するように制御し、
前記第１設定情報及び前記第２設定情報に基づいて、前記第１ＣＳＩ−ＲＳ及び前記第２ＣＳＩ−ＲＳを受信するように制御し、
前記第３設定情報に基づいて、前記第１ＣＳＩ−ＲＳを基盤とするフィードバックと、前記第２ＣＳＩ−ＲＳを基盤とするフィードバックと、前記第１ＣＳＩ−ＲＳ及び前記第２ＣＳＩ−ＲＳのフィードバックとからなる、チャンネル状態情報を生成し、
前記生成されたチャンネル状態情報を報告するように制御する制御機と、を含み、
前記第１ＣＳＩ−ＲＳに対するフィードバックは、前記第１ＣＳＩ−ＲＳに相応する第１ランクインジケーター（ＲＩ；Rank Indicator）を含み、前記第２ＣＳＩ−ＲＳに対するフィードバックは、前記第２ＣＳＩ−ＲＳに相応する第２ＲＩを含み、前記第１ＣＳＩ−ＲＳ及び前記第２ＣＳＩ−ＲＳのフィードバックは、前記第１ＲＩと前記第２ＲＩとの積のランク値に基づく
ことを特徴とする端末。
【請求項６】
前記制御機は、
前記第１ＣＳＩ−ＲＳに相応する第１プリコーディングマトリックスインジケーター（ＰＭＩ；Precoding Matrix Indicator）及び前記第２ＣＳＩ−ＲＳに相応する第２ＰＭＩを獲得し、
前記第１ＰＭＩ及び前記第２ＰＭＩを適用する場合のチャンネル品質インジケーター（Channel Quality Indicator；ＣＱＩ）を獲得する
ことを特徴とする、請求項５に記載の端末。
【請求項７】
前記第１ＣＳＩ−ＲＳは、第１方向のアンテナポートに該当し、前記第２ＣＳＩ−ＲＳは、第２方向のアンテナポートに該当する
ことを特徴とする、請求項６に記載の端末。
【請求項８】
前記制御機が前記チャンネル状態情報を報告する場合に、
前記送受信機は、前記第１ＰＭＩ及び前記第２ＰＭＩを送信し、
前記送受信機は、前記第１ＰＭＩ又は第２ＰＭＩの送信時刻と同一の時間区間に前記ＣＱＩを送信する
ことを特徴とする、請求項６に記載の端末。
【発明の詳細な説明】
【技術分野】
【０００１】
本発明は、チャンネル状態情報送受信方法及び装置に関し、特にアンテナ個数が多い場合のチャンネル状態情報送受信方法及び装置に関する。
【背景技術】
【０００２】
基準信号(Ｒｅｆｅｒｅｎｃｅ Ｓｉｇｎａｌ；ＲＳ)は、無線移動通信システムでチャンネルの信号の強度や歪曲、干渉の強度、ガウス形雑音(Ｇａｕｓｓｉａｎ ｎｏｉｓｅ)のような基地局とユーザの間のチャンネルの状態(または品質)を測定して受信したデータシンボル(ｄａｔａ  ｓｙｍｂｏｌ)の復調(ｄｅｍｏｄｕｌａｔｉｏｎ)及びデコーディング(ｄｅｃｏｄｉｎｇ)を助けるために用いられる信号である。基準信号の他の用途は無線チャンネル状態の測定である。受信機は送信機が約束された送信電力に送信する基準信号が無線チャンネルを経て受信される受信強度を測定することによって自分と送信機の間の無線チャンネルの状態を判定することができる。このように判定された無線チャンネルの状態は受信機が送信機にどんなデータ率(ｄａｔａ ｒａｔｅ)をリクエストするか判定するのに用いられる。
【０００３】
３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(−Ａ) (Ｌｏｎｇ Ｔｅｒｍ Ｅｖｏｌｕｔｉｏｎ (-Ａｄｖａｎｃｅｄ)またはＩＥＥＥ(Ｉｎｓｔｉｔｕｔｅ of Ｅｌｅｃｔｒｉｃａｌ ａｎｄ Ｅｌｅｃｔｒｏｎｉｃｓ Ｅｎｇｉｎｅｅｒｓ) ８０２.１６ｍなどのような最近の３世代進化無線移動通信システム標準は、多重接続(ｍｕｌｔｉｐｌｅ ａｃｃｅｓｓ)技法でＯＦＤＭ(Ａ)(ｏｒｔｈｏｇｏｎａｌ ｆｒｅｑｕｅｎｃｙ ｄｉｖｉｓｉｏｎ ｍｕｌｔｉｐｌｅｘｉｎｇ (ｍｕｌｔｉｐｌｅ ａｃｃｅｓｓ) )のような多 重副搬送波(ｓｕｂｃａｒｒｉｅｒ)を用いた多重接続技法を主に採択している。前記多重副搬送波を用いた多重接続技法を適用した無線移動通信システムの場合、基準信号を時間及び周波数上で幾つか時間シンボル(ｓｙｍｂｏｌ)及び副搬送波に位置するようにするかによってチャンネル推定(ｃｈａｎｎｅｌ ｅｓｔｉｍａｔｉｏｎ)及び測定(ｍｅａｓｕｒｅｍｅｎｔ)性能で差が発生するようになる。だけでなく、チャンネル推定及び測定性能は基準信号にどの位の電力が割り当てられたかによっても影響を受ける。したがって、より多い時間、周波数及び電力などの無線リソースを基準信号に割り当てるようになればチャンネル推定及び測定性能が向上して受信データシンボルの復調及びデコーディング性能も向上してチャンネル状態測定の正確度も高くなる。
【０００４】
しかし、 一般的な移動通信システムの場合、信号を送信することができる時間、周波数及び送信電力などの無線リソースが限定されているから基準信号に多い無線リソースを割り当てる場合、データ信号(ｄａｔａ ｓｉｇｎａｌ)の割り当てることができる無線リソースが相対的に減少する。このような理由により基準信号に割り当てられる無線リソースはシステム容量(ｓｙｓｔｅｍ ｔｈｒｏｕｇｈｐｕｔ)を考慮して適切に決まらなければならない。特に、複数のアンテナを用いて送受信を行うＭＩＭＯ(Ｍｕｌｔｉｐｌｅ Ｉｎｐｕｔ Ｍｕｌｔｉｐｌｅ Ｏｕｔｐｕｔ)を適用する場合、基準信号を割り当て、これを測定することが非常に重要な技術的事項である。
【発明の概要】
【発明が解決しようとする課題】
【０００５】
本発明は、上述した問題点を解決するために提案されたもので、効率的にチャンネル状態情報を送受信する方法及び装置を提供することにその目的がある。特に、本発明の一実施形態は、多くの数のアンテナが活用される場合、効率的にチャンネル状態情報を送受信する方法及び装置を提供することに目的がある。
【課題を解決するための手段】
【０００６】
前記のような問題点を解決するために、本発明の一実施形態による端末のチャンネル状態情報送信方法は、第１チャンネル状態情報基準信号(ＣＳＩ−ＲＳ；Ｃｈａｎｎｅｌ Ｓｔａｔｅ Ｉｎｆｏｒｍａｔｉｏｎ Ｒｅｆｅｒｅｎｃｅ Ｓｉｇｎａｌ)及び第２ＣＳＩ−ＲＳを受信する段階と、前記第１ＣＳＩ−ＲＳ及び前記第２ＣＳＩ−ＲＳを全て考慮したチャンネル状態情報(Ｃｈａｎｎｅｌ Ｓｔａｔｅ Ｉｎｆｏｒｍａｔｉｏｎ)を生成する段階と、及び前記チャンネル状態情報を送信する段階と、を含むことができる。
【０００７】
前記のような問題点を解決するために、本発明の一実施形態によるチャンネル状態情報を送信する端末は、第１チャンネル状態情報基準信号(ＣＳＩ−ＲＳ；Ｃｈａｎｎｅｌ Ｓｔａｔｅ Ｉｎｆｏｒｍａｔｉｏｎ Ｒｅｆｅｒｅｎｃｅ Ｓｉｇｎａｌ)及び第２ＣＳＩ−ＲＳを受信する受信機、前記第１ＣＳＩ−ＲＳ及び前記第２ＣＳＩ−ＲＳを全て考慮したチャンネル状態情報(Ｃｈａｎｎｅｌ Ｓｔａｔｅ Ｉｎｆｏｒｍａｔｉｏｎ)を生成する制御機と、及び前記チャンネル状態情報を送信する送信機と、を含むことができる。
【発明の効果】
【０００８】
本発明の一実施形態によれば、多くの数のアンテナが活用される場合、効率的にチャンネル状態情報を送受信することができる。
【図面の簡単な説明】
【０００９】
【図１】ＦＤ−ＭＩＭＯシステムを示す図面である。
【図２】ＬＴＥ／ＬＴＥ−Ａシステムにおいてダウンリンクでスケジューリングできる最小単位である１サブフレーム及び１リソースブロック(ＲＢ；Ｒｅｓｏｕｒｃｅ Ｂｌｏｃｋ)の無線リソースを示す図面である。
【図３】ＦＤ−ＭＩＭＯのためのＣＳＩ−ＲＳの送信を示す図である。
【図４】端末が２つのＣＳＩ−ＲＳに対するＲＩ、ＰＭＩ、ＣＱＩを送信することを示す図である。
【図５】本発明の第１実施形態によるチャンネル状態情報送信過程を示す図である。
【図６】本発明の第２実施形態によるチャンネル状態方法送信過程を示す図である。
【図７】本発明の第３実施形態によるチャンネル状態情報送信過程を示す図である。
【図８】本発明の第４実施形態によるチャンネル状態情報送信過程を示す図である。
【図９】本発明の第５実施形態によるチャンネル状態情報送信過程を示す図である。
【図１０】本発明の第６実施形態によるチャンネル状態情報送信過程を示す図である。
【図１１】本発明の一実施形態によってＦＤ−ＭＩＭＯシステムで基地局が端末のチャンネル状態情報生成及び送信方式を設定する過程のフローチャートである。
【図１２】本発明の一実施形態によってＦＤ−ＭＩＭＯシステムで端末が基地局の指示によってチャンネル状態情報を送信する過程のフローチャートである
【図１３】本発明の一実施形態による基地局のブロック構成図である。
【図１４】本発明の一実施形態による端末のブロック構成図である。
【発明の実施のための形態】
【００１０】
以下、本発明の実施例を添付した図面と共に詳しく説明する。また、本発明の実施形態を説明するにおいて関連する公知機能、若しくは構成に対する具体的な説明が本発明の要旨を不必要にすることができると判定された場合、その詳細な説明は省略する。さらに、後述される用語は本発明における機能を考慮して定義された用語としてこれはユーザ、操作者の意図または慣例などによって変わることができる。よって、その定義は本明細書全般にわたった内容に基づいて下されなければならない。
【００１１】
また、本発明の実施形態を具体的に説明するにおいて、ＯＦＤＭ基づく無線通信システム、 特に３ＧＰＰ ＥＵＴＲＡ(Ｅｖｏｌｖｅｄ Ｕｎｉｖｅｒｓａｌ Ｔｅｒｒｅｓｔｒｉａｌ Ｒａｄｉｏ Ａｃｃｅｓｓ)標準を主な対象とするが、本発明の主な要旨は類似の技術的背景及びチャンネル形態を持つその他の通信システムにも本発明の範囲を大きく逸脱せず範囲で僅かの変形で適用可能であり、これは本発明の技術分野で熟練された技術的知識を有する者の判定で可能であろう。
【００１２】
本発明は、一般的な無線移動通信システムに関し、特にＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)などのような多重搬送波(ｍｕｌｔｉ−ｃａｒｒｉｅｒ)を用いる多重アクセス方式(ｍｕｌｔｉｐｌｅ ａｃｃｅｓｓ ｓｃｈｅｍｅ)を適用した無線移動通信システムで端末がチャンネル品質(ｃｈａｎｎｅｌ ｑｕａｌｉｔｙ)を測定することを助けるために端末が基地局に通報するチャンネル状態情報の送受信方法に関する。
【００１３】
現在の移動通信システムは、初期の音声中心のサービスを提供から脱してデータサービス及びマルチメディアサービス提供のために高速、ハイクオリティーの無線パケットデータ通信システムで発展しつつある。このために３ＧＰＰ、３ＧＰＰ２、及びＩＥＥＥなどの多くの標準化単体で多重搬送波を用いた多重アクセス方式を適用した３世代進化移動通信システム標準を進行している。近年、３ＧＰＰのＬｏｎｇ Ｔｅｒｍ Ｅｖｏｌｕｔｉｏｎ (ＬＴＥ)、３ＧＰＰ２の Ｕｌｔｒａ Ｍｏｂｉｌｅ Ｂｒｏａｄｂａｎｄ(ＵＭＢ)、及びＩＥＥＥの８０２.１６ｍなど多様な移動通信標準が多重搬送波を用いた多重アクセス方式に基づいて高速、ハイクオリティーの無線パケットデータ送信サービスをサポートするために開発された。
【００１４】
ＬＴＥ、ＵＭＢ、８０２.１６ｍなどの現存する３世代進化移動通信システムは多重搬送波多重アクセス方式に基づいている。また、３世代進化移動通信システムは送信効率を改善するために多重アンテナ(ＭＩＭＯ；Ｍｕｌｔｉｐｌｅ Ｉｎｐｕｔ Ｍｕｌｔｉｐｌｅ Ｏｕｔｐｕｔ)を適用してビームポミング(ｂｅａｍ−ｆｏｒｍｉｎｇ)、適応変調及び符号(ＡＭＣ;  Ａｄａｐｔｉｖｅ Ｍｏｄｕｌａｔｉｏｎ ａｎｄ Ｃｏｄｉｎｇ)方法とチャンネル感応(ｃｈａｎｎｅｌ ｓｅｎｓｉｔｉｖｅ)スケジューリング方法などの多様な技術を用いる。前記の様々な技術はチャンネル品質などによって多くのアンテナから送信する送信電力を集中したり送信するデータ量を調節し、チャンネル品質が良いユーザに選択的にデータを送信するなどの方法を通じて送信効率を改善してシステム容量性能を改善させる。このような技法は、大部分が基地局(ｅＮＢ:ｅｖｏｌｖｅｄ Ｎｏｄｅ  Ｂ又はＢＳ:Ｂａｓｅ Ｓｔａｔｉｏｎ)と端末(ＵＥ:Ｕｓｅｒ  ＥｑｕｉｐｍｅｎｔまたはＭＳ:Ｍｏｂｉｌｅ Ｓｔａｔｉｏｎ)間のチャンネル状態情報を基づいて動作するから、基地局または端末は基地局と端末の間のチャンネル状態を測定する必要があり、このときに用いられることがチャンネル状態情報基準信号(Ｃｈａｎｎｅｌ Ｓｔａｔｕｓ Ｉｎｆｏｒｍａｔｉｏｎ ｒｅｆｅｒｅｎｃｅ ｓｉｇｎａｌ；ＣＳＩ−ＲＳ)である。前述した基地局は一定の場所に位置したダウンリンク(ｄｏｗｎｌｉｎｋ)送信及びアップリンク(ｕｐｌｉｎｋ)受信装置を意味し、一つの基地局は複数個のセルに対する送受信を行う。一つの移動通信システムで複数個の基地局が地理的に分散しており、それぞれの基地局は複数のセルに対する送受信を行う。
【００１５】
ＬＴＥ／ＬＴＥ−Ａなどの現存する３世代及び４世代移動通信システムは、データ送信率及びシステム容量の拡大のために複数個の送受信アンテナを用いて送信するＭＩＭＯ技術を活用する。前記ＭＩＭＯ技術は複数の送受信アンテナを活用することによって複数の情報ストリーム(ｉｎｆｏｒｍａｔｉｏｎ ｓｔｒｅａｍ)を空間的に分離して送信する。このように複数個の情報ストリームを空間的に分離して送信することを空間多重化(ｓｐａｔｉａｌ ｍｕｌｔｉｐｌｅｘｉｎｇ)という。一般的に、幾つか情報ストリームに対して空間多重化を適用することができるかは送信機と受信機のアンテナ数によって変わる。一般的に、幾つか情報ストリームに対して空間多重化を適用することができるか否かを当該送信のランク(ｒａｎｋ)という。ＬＴＥ／ＬＴＥ−Ａリリース(Ｒｅｌｅａｓｅ)１１までの標準でサポートするＭＩＭＯ技術の場合、送受信アンテナがそれぞれ８個ある場合に対する空間多重化をサポートしてランクが最大８までサポートされる。
【００１６】
一方、本発明で提案する技術が適用されるＦＤ−ＭＩＭＯシステムは、既存のＬＴＥ／ＬＴＥ−Ａ ＭＩＭＯ技術が進化されて８個より多い３２個、若しくはその以上の送信アンテナが用いられる。ただ、本発明の適用範囲がここに限定されるものではない。
【００１７】
図１は、ＦＤ−ＭＩＭＯシステムを示す図である。ＦＤ−ＭＩＭＯシステムは、数十個またはその以上の送信アンテナを活用してデータを送信する無線通信システムを称する。
【００１８】
前記図１で基地局送信装備１００は、例えば、数十個またはその以上の送信アンテナを通じて無線信号１２０、１３０を送信する。複数の送信アンテナ１１０は互いに最小距離を維持するように配置される。前記最小距離の、例えば送信される無線信号の波長長さの半分(λ／２)となることができる。一般的に、送信アンテナの間に無線信号の波長長さの半分となる距離が維持される場合、各送信アンテナから送信される信号は互いに相関度が低い無線チャンネルの影響を受けるようになる。例えば、送信する無線信号の帯域が２ＧＨｚの場合、この距離は７.５ｃｍとなり帯域が２ＧＨｚより高くなればこの距離はさらに短くなる。
【００１９】
前記図１で基地局１００に配置された数十個またはその以上の送信アンテナ１１０は、一つまたは複数の端末で１２０のように信号を送信するのに活用される。複数の送信アンテナには適切なプリコーディング(ｐｒｅｃｏｄｉｎｇ)が適用されて複数の端末に同時に送信するようにする。このとき、一つの端末は１個またはその以上の情報ストリームを受信することができる。一般的に、一つの端末が受信することができる情報ストリームの個数は端末が保有している受信アンテナ数、チャンネル状況及び受信機性能によって決定される。
【００２０】
前記ＦＤ−ＭＩＭＯシステムを効果的に具現するためには端末がチャンネル状況及び干渉の大きさを正確に測定し、これを用いて効果的なチャンネル状態情報を基地局へ送信しなければならない。前記チャンネル状態情報を受信した基地局はこれを用いてダウンリンクの送信に関連してどんな端末に送信を行うか、どんなデータ伝送速度で送信を行うか、どんなプリコーディングを適用するかなどを決定する。ＦＤ−ＭＩＭＯシステムの場合、送信アンテナ個数が多い関係で従来のＬＴＥ／ＬＴＥ−Ａシステムのチャンネル状態情報の送受信方法を適用する場合、アップリンクで多い過ぎる制御情報を送信しなければならないアップリンクオーバーヘッド問題が発生する。
【００２１】
移動通信システムにおいて、時間、周波数、及び電力リソースは限定されている。したがって、基準信号により多いリソースを割り当てるようになればデータトラフィックチャンネル(ｔｒａｆｆｉｃ ｃｈａｎｎｅｌ)送信に割り当てることができるリソースが減って送信されるデータの量が減ることができる。このような場合、チャンネル推定及び測定の性能は改善されるが送信されるデータの絶対量が減少するから全体システム容量性能はむしろ低下されることができる。したがって、全体システム容量側面で最適の性能を導き出すことができるように基準信号のためのリソースとトラフィックチャンネル送信のための信号のリソースの間に適切な配分が必要である。
【００２２】
図２は、ＬＴＥ／ＬＴＥ−Ａシステムでダウンリンクでスケジューリングできる最小単位である１サブフレーム及び１リソースブロック(ＲＢ;Ｒｅｓｏｕｒｃｅ Ｂｌｏｃｋ)の無線リソースを示す図である。
【００２３】
前記図２に示された無線リソースは時間軸上で一つのサブフレームからなり、周波数軸上で一つのＲＢからなる。図２の無線リソースは周波数領域で１２個の副搬送波からなり、時間領域から１４個のＯＦＤＭシンボルからなり、総１６８個の固有周波数及び時間位置を持つようにする。ＬＴＥ／ＬＴＥ−Ａでは前記図２のそれぞれの固有周波数及び時間に対応する位置をリソース要素(ＲＥ；ｒｅｓｏｕｒｃｅ ｅｌｅｍｅｎｔ)という。
前記図２に示された無線リソースを通じて次のような複数の互いに異なる種類の信号が送信されることができる。
【００２４】
１. ＣＲＳ(Ｃｅｌｌ Ｓｐｅｃｉｆｉｃ Ｒｅｆｅｒｅｎｃｅ Ｓｉｇｎａｌ):一つのセルに属したすべての端末のために周期的に送信される基準信号であり、複数の端末が共通的に用いることができる。
２. ＤＭＲＳ(Ｄｅｍｏｄｕｌａｔｉｏｎ Ｒｅｆｅｒｅｎｃｅ Ｓｉｇｎａｌ):特定端末のために送信される基準信号である。ＤＭＲＳは総８個のＤＭＲＳポートからなることができる。ＬＴＥ／ＬＴＥ−Ａではポート７からポート１４までＤＭＲＳポートに該当し、ポートはコード分割多重化(ＣＤＭ;Ｃｏｄｅ Ｄｉｖｉｓｉｏｎ Ｍｕｌｔｉｐｌｅｘｉｎｇ)または周波数分割多重化(ＦＤＭ;Ｆｒｅｑｕｅｎｃｙ Ｄｉｖｉｓｉｏｎ Ｍｕｌｔｉｐｌｅｘｉｎｇ)を用いて互いに干渉を発生させないように直交性(ｏｒｔｈｏｇｏｎａｌｉｔｙ)を維持する。
３.ＰＤＳＣＨ(Ｐｈｙｓｉｃａｌ Ｄｏｗｎｌｉｎｋ Ｓｈａｒｅｄ Ｃｈａｎｎｅｌ):ダウンリンクで送信されるデータチャンネルで基地局が端末にトラフィックを送信するために用いて前記図２のデータ領域で基準信号が送信されないＲＥを用いて送信される。
４.ＣＳＩ−ＲＳ(Ｃｈａｎｎｅｌ Ｓｔａｔｕｓ Ｉｎｆｏｒｍａｔｉｏｎ Ｒｅｆｅｒｅｎｃｅ Ｓｉｇｎａｌ)：一つのセルに属した端末のために送信される基準信号であり、チャンネル状態を測定するのに用いられる。一つのセルで複数のＣＳＩ−ＲＳが送信されることができる。
５.その他、制御チャンネル(ＰＨＩＣＨ、ＰＣＦＩＣＨ、ＰＤＣＣＨ)：端末がＰＤＳＣＨを受信するのに必要な制御情報を提供したりアップリンクのデータ送信に対するＨＡＲＱ(Ｈｙｂｒｉｄ Ａｕｔｏｍａｔｉｃ Ｒｅｐｅａｔ Ｒｅｑｕｅｓｔ)を操作するためのＡＣＫ／ＮＡＣＫ送信
【００２５】
ＬＴＥ−Ａシステムでは前記信号の以外に他の基地局が送信するＣＳＩ−ＲＳが当該セルの端末に干渉なしに受信されることができるようにミューティング(ｍｕｔｉｎｇ)を設定することができる。前記ミューティングはＣＳＩ−ＲＳが送信されることができる位置で適用されることができ、一般的に端末は当該無線リソースを飛ばしてトラフィック信号を受信する。ＬＴＥ−Ａ システムでミューティングは他の用語でゼロ−パワー(ｚｅｒｏ−ｐｏｗｅｒ)ＣＳＩ−ＲＳと呼ばれたりする。ミューティングの特性上ＣＳＩ−ＲＳの位置に適用されて送信電力が送信されないからである。
【００２６】
前記図２でＣＳＩ−ＲＳはＣＳＩ−ＲＳを送信するアンテナ数によってＡ、Ｂ、Ｃ、Ｄ、Ｅ、Ｅ、Ｆ、Ｇ、Ｈ、Ｉ、Ｊと表示された位置の一部を用いて送信されることができる。以下、図２に対する説明で一つのアルファベットと指示される位置は一つのパターンと表現する。また、ミューティングもＡ、Ｂ、Ｃ、Ｄ、Ｅ、Ｅ、Ｆ、Ｇ、Ｈ、Ｉ、Ｊと表示された位置の一部に適用されることができる。特に、ＣＳＩ−ＲＳは送信するアンテナポート数によって２個、４個、８個のＲＥを通じて送信されることができる。アンテナポート数が２個である場合、前記図２で或る一つのアルファベットと指示されたパターンの半分を通じてＣＳＩ−ＲＳが送信される。アンテナポート数が４個である場合、ある一つのアルファベットと指示されたパターンの全体を通じてＣＳＩ−ＲＳが送信される。アンテナポート数が８個である場合、ある２つのアルファベットに指示されたパターンを用いてＣＳＩ−ＲＳが送信される。一方、ミューティングの場合、常に一つのパターン単位からなる。すなわち、ミューティングは複数個のパターンに適用されることはできるがＣＳＩ−ＲＳと位置が重ならない場合、一つのパターンの一部にだけ適用されることはできない。ただ、ＣＳＩ−ＲＳの位置とミューティングの位置が重なる場合に限って一つのパターンの一部にだけ適用されることができる。
【００２７】
２つのアンテナポートに対するＣＳＩ−ＲＳが送信される場合、ＣＳＩ−ＲＳは時間軸で連結された２つのＲＥで各アンテナポートの信号を送信して各アンテナポートの信号は直交コードに区分される。また、４つのアンテナポートに対するＣＳＩ−ＲＳが送信される場合、２つのアンテナポートのためのＣＳＩ−ＲＳに追加で２つのＲＥをさらに用いて同じ方法で追加で２つのアンテナポートに対する信号を送信する。８個のアンテナポートに対するＣＳＩ−ＲＳが送信される場合も同様である。
【００２８】
セルラーシステムにおいて、ダウンリンクチャンネル状態を測定するために基準信号(ｒｅｆｅｒｅｎｃｅ ｓｉｇｎａｌ)を送信しなければならない。３ＧＰＰのＬＴＥ−Ａ(Ｌｏｎｇ Ｔｅｒｍ Ｅｖｏｌｕｔｉｏｎ Ａｄｖａｎｃｅｄ)システムの場合、基地局が送信するＣＲＳまたはＣＳＩ−ＲＳ(Ｃｈａｎｎｅｌ Ｓｔａｔｕｓ Ｉｎｆｏｒｍａｔｉｏｎ Ｒｅｆｅｒｅｎｃｅ Ｓｉｇｎａｌ)を用いて端末は基地局とその端末の間のチャンネル状態を測定する。前記チャンネル状態はダウンリンクにおける干渉量及びその他の幾つの要素を含む。前記ダウンリンクでの干渉量は隣接基地局に属したアンテナによって発生される干渉信号及び熱雑音などを含む。ダウンリンクでの干渉量は端末がダウンリンクのチャンネル状況を判定するのに重要な要素である。一例として、送信アンテナが一個である基地局から受信アンテナが一つの端末で送信する場合、端末は基地局から受信した基準信号でダウンリンクに受信することができるシンボル当りエネルギーと当該シンボルを受信する区間で同時に受信される干渉量を判定してＥｓ／Ｉｏ(ｅｎｅｒｇｙ ｐｅｒ ｓｙｍｂｏｌ ｔｏ ｉｎｔｅｒｆｅｒｅｎｃｅ ｄｅｎｓｉｔｙ ｒａｔｉｏ)を決定しなければならない。決定されたＥｓ／Ｉｏはデータ送信速度またはそれに相応する値に変換され、基地局へチャンネル品質インジケーター(ＣＱＩ；Ｃｈａｎｎｅｌ Ｑｕａｌｉｔｙ Ｉｎｄｉｃａｔｏｒ)の形態に通報される。基地局は伝達されたＣＱＩに基づいてダウンリンクで端末にどんなデータ伝送速度で送信を行うかを判定することができる。
【００２９】
ＬＴＥ−Ａシステムの場合、端末はダウンリンクのチャンネル状態に対する情報を基地局にフィードバックする。基地局はフィードバックされたチャンネル状態情報をダウンリンクスケジューリングとして活用する。すなわち、端末はダウンリンクで基地局が送信する基準信号を測定し、ここで抽出した情報をＬＴＥ／ＬＴＥ−Ａ標準で定義する形態で基地局にフィードバックする。ＬＴＥ／ＬＴＥ−Ａで端末がフィードバックする情報は、例えば次の３つの情報を含むことができる。
【００３０】
１．ランクインジケーター(ＲＩ；Ｒａｎｋ Ｉｎｄｉｃａｔｏｒ)：端末が現在のチャンネル状態で受信することができる空間レイヤー(ｓｐａｔｉａｌ ｌａｙｅｒ)の個数
２．プリコーディングマトリックスインジケーター(ＰＭＩ；Ｐｒｅｃｏｄｅｒ Ｍａｔｒｉｘ Ｉｎｄｉｃａｔｏｒ)：端末が現在のチャンネル状態で好むプリコーディングマトリックスに対するインジケーター
３．チャンネル品質インジケーター(ＣＱＩ；Ｃｈａｎｎｅｌ Ｑｕａｌｉｔｙ Ｉｎｄｉｃａｔｏｒ)：端末が現在のチャンネル状態で受信することができる最大データ送信率(ｄａｔａ ｒａｔｅ)。ＣＱＩは最大データ送信率と類似に活用されることができる信号対干渉雑音比(ＳＩＮＲ;Ｓｉｇｎａｌ ｔｏ Ｉｎｔｅｒｆｅｒｅｎｃｅ ｐｌｕｓ Ｎｏｉｓｅ Ｒａｔｉｏ)、最大のエラー訂正符号化率(ｃｏｄｅ ｒａｔｅ)及び変調方式、周波数当りデータ効率などで取り替えられることもできる。
【００３１】
前記ＲＩ、ＰＭＩ、ＣＱＩは互いに連関されて意味を持つ。一例として、ＬＴＥ／ＬＴＥ−Ａでサポートするプリコーディングマトリックスはランク別で相違するように定義されている。したがって、ＲＩが１の値を持つとき、ＰＭＩ値ＸとＲＩが２の値を持つとき、ＰＭＩ値Ｘは異なり解釈される。また端末がＣＱＩを決定するときにも自分が基地局に通報したＰＭＩとＲＩが基地局で適用されたという仮定をする。すなわち、端末がＲＩ_Ｘ、ＰＭＩ_Ｙ、ＣＱＩ_Ｚを基地局に通報したことはランクをＲＩ_ＸとしてプリコーディングマトリックスをＰＭＩ_Ｙとするとき、ＣＱＩ_Ｚに該当するデータ送信率で当該端末がデータを受信することができると通報することと同様である。このように端末はＣＱＩを計算するときに基地局に或る送信方式を行うかを仮定して当該送信方式で実際送信を行ったとき、最適化された性能を得ることができるようにする。
【００３２】
一般的に、ＦＤ−ＭＩＭＯのように送信アンテナの個数が多い場合、ここに比例するＣＳＩ−ＲＳを送信しなければならない。一例として、ＬＴＥ／ＬＴＥ−Ａで８個の送信アンテナを用いる場合、基地局は８−ポートに該当するＣＳＩ−ＲＳを端末に送信してダウンリンクのチャンネル状態を測定するようにする。このとき、基地局で８−ポートに該当するＣＳＩ−ＲＳを送信するのに一つのＲＢ内で８個のＲＥから構成される無線リソースを利用しなければならない。例えば、アルファベットＡと指示されるＲＥ及びアルファベットＢに指示されるＲＥから構成される無線リソースが当該基地局のＣＳＩ−ＲＳ送信のために活用されることができる。このようなＬＴＥ／ＬＴＥ−Ａ方式のＣＳＩ−ＲＳ送信をＦＤ−ＭＩＭＯに適用する場合、送信アンテナ数に比例する無線リソースがＣＳＩ−ＲＳに割り当てなければならない。すなわち、基地局の送信アンテナが１２８個である場合、基地局は一つのＲＢ内で総１２８個のＲＥを用いてＣＳＩ−ＲＳを送信しなければならない。このようなＣＳＩ−ＲＳ送信方式は過多な無線リソースを要するから無線データ送受信に必要な無線リソースを減少させる逆効果がある。
【００３３】
ＦＤ−ＭＩＭＯのように多い数の送信アンテナを持つ基地局でＣＳＩ−ＲＳを送信するのに過多な無線リソースを割り当てることを防止しながら端末にとって多い数の送信アンテナに対するチャンネル測定ができるようにする方法でＣＳＩ−ＲＳをＮ個の次元で分離して送信する方法を考慮し得る。一例として、基地局の送信アンテナ１１０が前記図１のように２次元に配列されている場合、ＣＳＩ−ＲＳを２個の次元で分離して送信することができる。一方のＣＳＩ−ＲＳは水平方向のチャンネル情報を測定するのに活用される水平(Ｈｏｒｉｚｏｎｔａｌ)ＣＳＩ−ＲＳと操作し、他方のＣＳＩ−ＲＳは垂直方向のチャンネル情報を測定するのに活用される垂直(Ｖｅｒｔｉｃａｌ) ＣＳＩ−ＲＳと操作することである。
【００３４】
図３は、ＦＤ−ＭＩＭＯのためのＣＳＩ−ＲＳの送信を示す図である。
図３を参照すると、ＦＤ−ＭＩＭＯを運営する基地局は総３２個のアンテナを持つ。図３から３２個のアンテナ３００はそれぞれＡ０、．．．、Ａ３、Ｂ０、．．．、Ｂ３、Ｃ０、．．．、Ｃ３、Ｄ０、．．．、Ｄ３、Ｅ０、．．．、Ｅ３、Ｆ０、．．．、Ｆ３、Ｇ０、．．．、Ｇ３、Ｈ０、．．．、Ｈ３と指示される。前記図３の３２個のアンテナ３００に対して２個のＣＳＩ−ＲＳが送信される。水平方向のチャンネル状態を測定するのに活用されるＨ−ＣＳＩ−ＲＳに対するアンテナポートは次の８個アンテナポートから構成される。
１．Ｈ−ＣＳＩ−ＲＳポート０：アンテナＡ０、Ａ１、Ａ２、Ａ３が合してなる
２．Ｈ−ＣＳＩ−ＲＳポート１：アンテナＢ０、Ｂ１、Ｂ２、Ｂ３が合してなる
３．Ｈ−ＣＳＩ−ＲＳポート２：アンテナＣ０、Ｃ１、Ｃ２、Ｃ３が合してなる
４．Ｈ−ＣＳＩ−ＲＳポート３:アンテナ Ｄ０、Ｄ１、Ｄ２、Ｄ３が合してなる
５．Ｈ−ＣＳＩ−ＲＳポート４：アンテナ Ｅ０、Ｅ１、Ｅ２、Ｅ３が合してなる
６．Ｈ−ＣＳＩ−ＲＳポート５：アンテナＦ０、Ｆ１、Ｆ２、Ｆ３が合してなる
７．Ｈ−ＣＳＩ−ＲＳポート６：アンテナＧ０、Ｇ１、Ｇ２、Ｇ３が合してなる
８．Ｈ−ＣＳＩ−ＲＳポート７：アンテナ Ｈ０、Ｈ１、Ｈ２、Ｈ３が合してなる
【００３５】
前記で複数のアンテナが合わせて一つのＣＳＩ−ＲＳポートを成るという表現はアンテナ仮想化(ａｎｔｅｎｎａ ｖｉｒｔｕａｌｉｚａｔｉｏｎ)を意味する。アンテナ仮想化は一般的に複数アンテナの線形的結合を通じて行われる。また、垂直方向のチャンネル状態を測定するのに活用されるＶ−ＣＳＩ−ＲＳに対するアンテナポートは次の４個アンテナポートから構成される。
１．Ｖ−ＣＳＩ−ＲＳポート０：アンテナＡ０、Ｂ０、Ｃ０、Ｄ０、Ｅ０、Ｆ０、Ｇ０、Ｈ０が合してなる
２．Ｖ−ＣＳＩ−ＲＳポート１：アンテナＡ１、Ｂ１、Ｃ１、Ｄ１、Ｅ１、Ｆ１、Ｇ１、Ｈ１が合してなる
３．Ｖ−ＣＳＩ−ＲＳポート２：アンテナＡ２、Ｂ２、Ｃ２、Ｄ２、Ｅ２、Ｆ２、Ｇ２、Ｈ２が合してなる
４．Ｖ−ＣＳＩ−ＲＳポート３：アンテナＡ３、Ｂ３、Ｃ３、Ｄ３、Ｅ３、Ｆ３、Ｇ３、Ｈ３が合してなる
【００３６】
前記のように複数のアンテナが２次元に配列されたと仮定する。アンテナは垂直方向にＭ個の行、水平方向にＮ個の列を持つ直交形態に配列されたと仮定する。この場合、端末はＮ個の水平方向のＣＳＩ−ＲＳポートとＭ個の垂直方向のＣＳＩ−ＲＳポートを用いてＦＤ−ＭＩＭＯのチャンネルを測定することができる。すなわち、上述したような２つのＣＳＩ−ＲＳを用いる場合、Ｍ×Ｎ個の送信アンテナのためにＭ＋Ｎ個のＣＳＩ−ＲＳポートを活用してチャンネル状態情報を把握することができるようになる。このようにさらに少ない数のＣＳＩ−ＲＳポート数を用いてより多い数の送信アンテナに対する情報を把握するようにすることはＣＳＩ−ＲＳオーバーヘッドを減らすのに重要な長所で作用する。前記では２つのＣＳＩ−ＲＳを用いてＦＤ−ＭＩＭＯの送信アンテナに対するチャンネル情報を把握し、このような接近は二以上のＣＳＩ−ＲＳを用いる場合にも同様に適用されることができる。
【００３７】
前記図３で３２個の送信アンテナに対するＲＳは８個のＨ−ＣＳＩ−ＲＳポートと４個のＶV−ＣＳＩ−ＲＳポートで割当てられて送信され、端末はＦＤ−ＭＩＭＯシステムのこのような ＣＳＩ−ＲＳを通じて無線チャンネルを測定する。前記でＨ−ＣＳＩ−ＲＳは端末が端末と基地局送信アンテナの間の水平角に対する情報を推測するのに活用されることができる一方(３１０)Ｖ−ＣＳＩ−ＲＳは端末が端末と基地局送信アンテナの間の垂直角に対する情報を推測するのに活用されることができる(３２０)。本明細書で以下の短縮語が用いられる。
【００３８】
● ＲＩＨ：水平方向のＣＳＩ−ＲＳ(Ｈ−ＣＳＩ−ＲＳ)を測定し、これに基づいて端末が基地局に通報したランクインジケーター(ＲＩ)
● ＲＩＶ：垂直方向のＣＳＩ−ＲＳ(Ｖ−ＣＳＩ−ＲＳ)を測定し、これに基づいて端末が基地局に通報したランクインジケーター(ＲＩ)
● ＲＩＨＶ：水平方向のＣＳＩ−ＲＳ(Ｈ−ＣＳＩ−ＲＳ)と垂直方向のＣＳＩ−ＲＳ(Ｖ−ＣＳＩ−ＲＳ)をそれぞれ測定し、これに基づいて端末が基地局に通報した水平及び垂直方向のランクインジケーター(ＲＩ)
● ＰＭＩＨ:水平方向のＣＳＩ−ＲＳ(Ｈ−ＣＳＩ−ＲＳ)を測定し、これに基づいて端末が基地局に通報したプリコーディングマトリックスインジケーター(ＰＭＩ)
● ＰＭＩＶ:垂直方向のＣＳＩ−ＲＳ(Ｖ−ＣＳＩ−ＲＳ)を測定し、これに基づいて端末が基地局に通報したプリコーディングマトリックスインジケーター(ＰＭＩ)
● ＣＱＩＨ:水平方向のプリコーディングマトリックスだけが適用されたという仮定下に生成された端末サポート可能データ送信率
● ＣＱＩＶ:垂直方向のプリコーディングマトリックスだけが適用されたという仮定下に生成された端末サポート可能データ送信率
● ＣＱＩＨＶ:水平方向のプリコーディングマトリックス及び垂直方向のプリコーディングマトリックスが同時適用されたという仮定下に生成された端末サポート可能データ送信率
【００３９】
以下、本明細書では水平方向のチャンネル状態情報及び水平方向のチャンネル状態情報に分けて説明する。しかし、一つの基地局が２以上のＣＳＩ−ＲＳを操作する場合、水平方向のチャンネル状態情報及び垂直方向のチャンネル状態情報以外に他の種類のチャンネル状態情報に対しても本発明が適用されることができる。例えば、第１観点でアンテナポートを割り当てたＣＳＩ−ＲＳ(第１ＣＳＩ−ＲＳ)及び第２観点でアンテナポートを割り当てたＣＳＩ−ＲＳ(第２ＣＳＩ−ＲＳ)が操作される場合、端末は２つのＣＳＩ−ＲＳを活用して各ＣＳＩ−ＲＳに相応するチャンネル状態情報(第１チャンネル状態情報及び第２チャンネル情報)を獲得することができ、２つのＣＳＩ−ＲＳの全て考慮したチャンネル状態情報(第３チャンネル状態情報)も獲得することができる。以下の実施形態で説明する構成は全て類似に適用されることができる。以下では説明の便宜のために垂直方向ＣＳＩ−ＲＳ(Ｖ−ＣＳＩ−ＲＳ)及び水平方向ＣＳＩ−ＲＳ(Ｈ−ＣＳＩ−ＲＳ)の例を挙げて説明する。
【００４０】
以下の説明で垂直方向のＣＳＩ−ＲＳに相応するチャンネル状態情報は垂直方向のチャンネル状態情報と表現する。垂直方向のチャンネル状態情報は垂直方向のＣＳＩ−ＲＳに基づいて獲得したＲＩ、ＰＭＩ及びＣＱＩのうちで少なくとも一つを含む。
【００４１】
また、以下の説明で水平方向のＣＳＩ−ＲＳに相応するチャンネル状態情報は水平方向のチャンネル状態情報と表現する。水平方向のチャンネル状態情報は水平方向のＣＳＩ−ＲＳに基づいて獲得したＲＩ、ＰＭＩ及びＣＱＩのうちで少なくとも一つを含む。
【００４２】
基地局が２以上のＣＳＩ−ＲＳを端末に送信する場合、端末は各ＣＳＩ−ＲＳに相応するチャンネル状態情報を基地局に送信することができる。ここで各チャンネル状態情報は各ＣＳＩ−ＲＳに基づいて獲得したＲＩ、ＰＭＩ及びＣＱＩのうちで少なくとも一つを含む。ただ、後述する実施形態のように端末は２以上のＣＳＩ−ＲＳに基づいてチャンネル状態情報を獲得することもできる。このような場合、明示的にどんな方式でチャンネル状態が獲得されるのか記載した。
【００４３】
図４は、端末が２つのＣＳＩ−ＲＳに対するＲＩ、ＰＭＩ、ＣＱＩを送信することを示す図である。複数のＣＳＩ−ＲＳに対して端末は各ＣＳＩ−ＲＳに相応するＲＩ、ＰＭＩ、ＣＱＩを送信してＦＤ−ＭＩＭＯシステムの無線チャンネル状態情報を基地局に通報する。
【００４４】
図４で矢印は一種類のチャンネル状態情報が相違する種類のチャンネル状態情報を解釈するのにどのように連関されているかを表示する。すなわち、ＲＩＶ４００から始めた矢印がＰＭＩＶ４１０で終了することはＲＩＶ４００の値によってＰＭＩＶ４１０の解釈が変わるということを意味する。すなわち、該矢印は端末がＰＭＩＶ ４１０を解釈するためにＲＩＶ ４００の値を用いることを意味する。端末がＣＱＩＶ４２０を解釈するためにＰＭＩＶ４１０の値が活用される。さらに、端末がＰＭＩＨ４４０を解釈するためにＲＩＨ４３０の値が活用される。また端末がＣＱＩＨ４５０を解釈するためにＰＭＩＨ４４０の値が活用される。
【００４５】
図４で端末はＶ−ＣＳＩ−ＲＳを測定してフィードバック１に指示される方式でチャンネル状態情報を送信する。さらに、端末はＨ−ＣＳＩ−ＲＳを測定してフィードバック２と指示される方式でチャンネル状態情報を送信する。前記でＲＩ、ＰＭＩ、ＣＱＩは互いに連関性をもって送信される。すなわち、フィードバック１の場合、ＲＩＶ４００は以後送信されるＰＭＩＶ４１０がどんなランクのプリコーディングマトリックスを指すかを通報する。また、ＣＱＶ４２０は基地局がＲＩＶ４００が指定するランクで基地局が送信するとき、ＰＭＩＶ４１０が指定する該ランクのプリコーディングマトリックスを適用する場合、端末が受信可能なデータ伝送速度またはそれに相応する値に該当する。フィードバック２の場合もフィードバック１と同様にＲＩＨ４３０、ＰＭＩＨ４４０、ＣＱＩＨ４５０が互いに連関性をもって送信される。
【００４６】
前記図４のようにＦＤ−ＭＩＭＯ基地局の複数の送信アンテナのために複数のフィードバックを設定して端末がチャンネル状態情報を基地局へ報告することはＦＤ−ＭＩＭＯのための一つのチャンネル状態情報報告方法となることができる。このような方法は、ＦＤ−ＭＩＭＯのためのチャンネル状態情報を端末で生成して報告するのに追加的な具現が必要ないという長所が存在する。
【００４７】
一方、前記図４のような方法のチャンネル状態情報報告方法を用いる場合、ＦＤ−ＭＩＭＯ システムの性能を充分に得ることができない欠点がある。図４を参照して上述したように端末は複数のフィードバックを設定してチャンネル状態情報を基地局で報告するが、ＦＤ−ＭＩＭＯが適用された場合のプリコーディングを仮定したＣＱＩを端末が送信しないからである。  
【００４８】
ＦＤ−ＭＩＭＯシステムで複数の送信アンテナ１１０が前記図３と同様に２次元に配列される場合、端末に送信される信号には垂直方向のプリコーディングマトリックス及び水平方向のプリコーディングマトリックスが全て適用されて送信される。すなわち、端末は前記図４のＰＭＩＨ４４０及びＰＭＩＶ４１０に該当するプリコーディングマトリックスのうちで一つだけ適用された信号を受信するのではなくＰＭＩＨ４４０及びＰＭＩＶ４１０に該当するプリコーディングマトリックスが同時に適用された信号を受信する。
【００４９】
前記図４に示されたようにＰＭＩＨ４４０、ＰＭＩＶ４１０に該当するプリコーディングが別に適用された場合のＣＱＩＨ４５０、ＣＱＩＶ４３０のみを基地局に報告する場合、基地局は垂直方向のプリコーディングマトリックス及び水平方向のプリコーディングマトリックスが全て適用される場合のＣＱＩを端末から受信することができずに基地局が自体的に判定しなければならない。このように基地局が垂直方向のプリコーディングマトリックス及び水平方向のプリコーディングマトリックスがそれぞれ適用された場合のＣＱＩに基づいて垂直及び水平方向のプリコーディングが全て適用された場合のＣＱＩを任意に判定することはシステムの性能を低下させる原因で作用することができる。
【００５０】
前記で言及したようにＦＤ−ＭＩＭＯシステムでＣＳＩ−ＲＳの過多な無線リソース使用を節減する一つの方法は、多くの数の送信アンテナを效果的に測定することができる複数のＣＳＩ−ＲＳを端末に測定するようにする。各ＣＳＩ−ＲＳは一つの無線チャンネルを測定するための複数個の次元のうち、１個に対するチャンネル状態を端末が測定するのに活用されることができる。このような方式は送信アンテナごとに固有のＣＳＩ−ＲＳポートを割り当てることと比べてＣＳＩ−ＲＳの送信のために相対的に少ない無線リソースを要する。一例として、直四角形に配置されたＦＤ−ＭＩＭＯシステムの送信アンテナに対して垂直及び水平方向の２つのＣＳＩ−ＲＳを操作すると、端末が効果的にチャンネル状態を測定することができる。本明細書ではこのように多数の送信アンテナを持つＦＤ−ＭＩＭＯシステムで無線チャンネル状態情報を端末が効果的に測定するように複数のＣＳＩ−ＲＳを用いたチャンネル状態測定方法及びこれを基地局に報告する方法に対して新しい技術及び装置を提案する。
【００５１】
図５は、本発明の第１実施形態によるチャンネル状態情報送信過程を示す図である。
図５で端末は図４を参照して説明した例と同様に２つのＣＳＩ−ＲＳに基づいて各ＣＳＩ−ＲＳに相応するチャンネル状態情報を報告する。このとき、フィードバック１と指示される過程は前記図４におけるフィードバック１と指示される過程と同様の役目を行う。すなわち、端末はＶ−ＣＳＩ−ＲＳを測定して基地局にここに該当するＲＩＶ５００、ＰＭＩＶ５１０、ＣＱＩＶ５２０を報告する。図５の実施形態と図４の方式の差はフィードバック２と指示される過程にある。端末は基地局にプリコーディングが垂直及び水平方向で全て適用される場合のＣＱＩであるＣＱＩＨＶ５５０を通報する。すなわち、端末はフィードバック１と指示される過程で生成した最も最近のＰＭＩＶ５１０、及びＨ−ＣＳＩ−ＲＳを測定して最適と判定したＰＭＩＨ５４０に該当するプリコーディングが同時に適用された場合に該当するＣＱＩＨＶ５５０を生成して基地局に通報する。
【００５２】
図５の実施形態で端末はＶ−ＣＳＩ−ＲＳを測定してＲＩＶ５００を生成した後、基地局に通知する。また該ランク５００に最適なＰＭＩＶ５１０を判定した後、該ＰＭＩＶ５１０が指定するプリコーディングが適用された場合のＣＱＩＶ５２０を基地局に通報する。前記ＰＭＩＶ５１０はさらにＣＱＩＨＶ５５０を生成するにも活用される。端末はＨ−ＣＳＩ−ＲＳを測定してＲＩＨ５３０を生成した後、基地局に通報する。また該ランク５３０に最適のＰＭＩＨ５４０を判定した後、該ＰＭＩＨ５４０が指定するプリコーディングと以前に送信されたＰＭＩＶ５１０が指定するプリコーディングが同時に適用された場合のＣＱＩＨＶ５５０基地局に通報する。
【００５３】
前記図５と同様にＰＭＩＨ５４０が指示するプリコーディングマトリックス及びＰＭＩＶ５１０が指示するプリコーディングマトリックスが同時に適用された場合のＣＱＩ値を端末が基地局に報告するためには次の事項が要求されることもできる。
【００５４】
第１、２つのＣＱＩのうちで少なくとも一つのＣＱＩを２つのＰＭＩを考慮して決定しなければならないか否かを設定する機能が必要である。すなわち、基地局は上位シグナリングを用いて端末に複数のフィードバックを設定しながら各フィードバックの連結関係を端末に通報して端末はこれに基づいてＣＱＩを生成することができる。前記図５の場合では第１ＰＭＩ、すなわちＰＭＩv５１０を第２ＰＭＩ、すなわち、ＰＭＩＨ５４０と共に適用して第２ＣＱＩ、すなわちＣＱＩＨＶ５５０を計算しなさいという制御メッセージが基地局から端末に通報されなければならない。
【００５５】
第２、複数のプリコーディングが適用された場合のＣＱＩをどんなに決定するかに対する定義が必要である。一つのプリコーディングだけが適用された場合のＣＱＩを計算する場合、端末は自分が通報したＲＩとＰＭＩによって指定されるプリコーディングがダウンリンクに適用されるという仮定下にＣＱＩを計算する。しかし、前記ＣＱＩＨＶ５５０の場合、端末は２つのプリコーディングが同時にダウンリンクに適用されるという仮定下にＣＱＩを計算する。このとき、端末が同時に２つのプリコーディングが適用されることをクロネッカ積(Ｋｒｏｎｅｃｋｅｒ ｐｒｏｄｕｃｔ)で解釈することができる。クロネッカ積は、次のように２つの行列に対して定義される。
【００５６】
【数１】
0006755092.tif 000002
【００５７】
数式１でＡ及びＢは、それぞれ行列であり、ａ１１乃至ａｍｎは行列Ａの各元素である。ａｉｊは行列Ａのｉ番目行、ｊ番目の列の元素である。
【００５８】
前記数式１で端末はＡとＢをそれぞれＰＭＩＨ５４０とＰＭＩＶ５１０が指示するプリコーディングマトリックスで取り替えることによって２つのプリコーディングマトリックスが同時に適用された場合のプリコーディングマトリックスが得られる。端末はＣＱＩＨＶ５５０を計算するとき、前記数式をＰＭＩＨ５４０とＰＭＩＶ５１０が指定するプリコーディングマトリックスに適用して得られるプリコーディングマトリックスがダウンリンクに適用されたと仮定してＣＱＩＨＶ５５０を計算する。
【００５９】
前記数式１のクロネッカ積を用いても２個のプリコーディングマトリックスが同時適用された場合のプリコーディングマトリックスを得るためには端末が通知するランクにより他の動作が端末と基地局で必要である。本明細書ではこれのために以下の３つ方法を提案する。
【００６０】
ランク関連実施形態１：
基地局は、ＲＩＶ５００またはＲＩＨ５３０のうちの一つを常にランク１と設定する。例えば、前記図５のようにＣＱＩＨＶ５５０がＲＩＨ５３０と共に端末に通報される場合、ＲＩＶ５００は常に１の値を持つようにランクが制限(ｒｅｓｔｒｉｃｔｉｏｎ)される。このような場合、端末が２つのプリコーディングマトリックスが同時適用された場合にサポートすることができるランクはＲＩＨ５３０によって決定される。すなわち、ＲＩＨ５３０の値が１を指すと、端末はランク１をサポートすることができ、ＲＩＨ５３０の値が２を指すと、端末はランク２をサポートすることができる。端末と基地局はこのような仮定下にＦＤ−ＭＩＭＯシステムを操作する。ここではＣＳＩ−ＲＳが２つの場合を仮定したが、ＣＳＩ−ＲＳが３つ以上の場合、一つのＣＳＩ−ＲＳに対応されるＲＩを除いた残りＲＩが全て１と設定しなければならない。
【００６１】
ランク関連実施形態２:
基地局と端末は、垂直方向のプリコーディングマトリックス及び水平方向のプリコーディングマトリックスが同時適用された場合に端末がサポートすることができるランクを次の数式を用いて決定する。
【００６２】
【数２】
0006755092.tif 000003
【００６３】
すなわち、端末と基地局は垂直方向のプリコーディングマトリックス及び水平方向のプリコーディングマトリックスが同時適用された場合のランクは各方向でサポートすることができるランクの積と仮定してチャンネル状態情報を送受信する。一例として、端末がＲＩＨをランク２と設定して基地局に通報し、ＲＩＶをランク３と設定して基地局に通知する場合、基地局と端末はプリコーディングマトリックスが全て適用された場合のランクを６と仮定する。
【００６４】
ＬＴＥ／ＬＴＥ−Ａで端末がランク２以上の値に該当するＲＩを基地局に通知する場合、同時に２つのＣＱＩ値を基地局に通知する。これはランク２以上の場合、基地局が端末に２つのコードワードをダウンリンクで送信するから、それぞれのコードワードに該当するＣＱＩを別に報告しなければならないからである。
【００６５】
前記図５の実施形態に対して前記数式２のような方法を適用する場合、端末はＲＩＨ５３０の値が１であっても前記数式２によるプリコーディングが全て適用された場合のランクが２以上場合、２つのＣＱＩ値をＣＱＩＨＶ５５０に送信する。また、基地局はフィードバック２のＲＩＨ５３０の値が１であっても前記数式２によるプリコーディングが全て適用された場合のランクが２以上である場合、２つのＣＱＩ値をＣＱＩＨＶ５５０に送信されることで仮定してこれを受信する。
【００６６】
前記図４または図５のように複数のフィードバックを設定しても２個のＣＳＩ−ＲＳに対する水平方向のチャンネル状態情報及び垂直方向のチャンネル状態情報を端末が測定して基地局に通報するようにする方法ではフィードバック１とフィードバック２がどのように設定されるのかによって衝突が発生することもできる。ここで衝突とはフィードバック１とフィードバック２が同じ時間区間に送信される必要が発生する状況を意味する。このような衝突が発生する場合、端末はフィードバック１またはフィードバック２のチャンネル状態情報のうちの一つだけを基地局に通知し、残りは送信することができない。したがって、前記図４または図５のように複数のフィードバックを設定してＦＤ−ＭＩＭＯを操作する場合、一部チャンネル状態情報が損失される問題点があり得る。
【００６７】
図６は、本発明の第２実施形態によるチャンネル状態方法送信過程を示す図である。
図６を参照すると、２つのＣＳＩ−ＲＳに対するチャンネル状態情報を端末が基地局に報告するが、一つのフィードバック過程内で成り立つという点で前記図４と差がある。図６を参照すると、端末はＲＩＨＶ６００を基地局に通報することによって水平方向及び垂直方向のランクを通知する。表１はＲＩＨＶ６００値が示す水平方向のランク(第１ランク)及び垂直方向のランク(第２ランク)を例示的に示したことである。
【００６８】
【表１】
0006755092.tif 000004
【００６９】
基地局は端末からＲＩＨＶ６００が通報されることによって水平及び垂直方向のランクを認知することができる。端末はＨ−ＣＳＩ−ＲＳ及びＶ−ＣＳＩ−ＲＳ、すなわち、２つのＣＳＩ−ＲＳを全て参照してＲＩＨＶ６００の値を判定する。さらに基地局はＲＩＨＶ６００以後に送信される水平方向のＣＳＩ−ＲＳ及び垂直方向のＣＳＩ−ＲＳに対応するＰＭＩ６１０、６３０、ＣＱＩ６２０、６４０を通じて水平方向及び垂直方向のプリコーディング及び端末が受信可能なデータ伝送速度に対する情報を把握する。すなわち、一つのフィードバック過程内に水平方向及び垂直方向のＰＭＩ、ＣＱＩが交代に送信されることによって前記図４または図５で発生することができるフィードバック送信の間の衝突を事前に防止することができる。前記図６で端末が通知したＲＩＨＶ６００の値によって水平方向及び垂直方向のランクが相違する値を持つようになることができる。すなわち、ＲＩＨＶ６００値で指定する水平方向のランクによってＰＭＩＨ６１０が指定するプリコーディングマトリックスが決定される。また、端末はＰＭＩＨ６１０が指定するプリコーディングマトリックスが適用される場合を仮定したＣＱＩ値、すなわちＣＱＩＨ６２０を送信する。前記ＰＭＩＨ６１０及びＣＱＩＨ６２０を判定するために端末はＨ−ＣＳＩ−ＲＳを測定する。同様にＲＩＨＶ６００値で指定する垂直方向のランクによってＰＭＩＶ６３０が指定するプリコーディングマトリックスが決定される。また、端末はＰＭＩＶ６３０が指定するプリコーディングマトリックスが適用される場合を仮定したＣＱＩ値、すなわちＣＱＩＶ６４０を送信する。前記ＰＭＩＶ６３０及びＣＱＩＶ６４０を判定するために端末はＶ−ＣＳＩ−ＲＳを測定する。
【００７０】
図６を参照すると、端末は水平方向のチャンネル状態情報６１０、６２０と垂直方向のチャンネル状態情報６３０、６４０が交代に一度ずつ送信されている。このように水平方向のチャンネル状態情報と垂直方向のチャンネル状態情報が交代に同一の周期で送信されること可能である。
【００７１】
しかし、実際システムではこのような方式が適合しないこともある。すなわち、端末が特定方向のチャンネル状態情報を他の方向のチャンネル状態情報より相対的に短い週期で基地局へ通知するのがシステム容量を最適化するのに有利することができる。端末が複数のＣＳＩ−ＲＳに対するチャンネル状態情報を他の週期で基地局に報告するためには基地局がこれに対する設定ができることが好ましい。すなわち、前記６のように一つのフィードバック過程内で互いに異なる方向のチャンネル状態情報を端末が基地局に通知する場合、基地局はこれに対する設定のために以下のような情報を端末に通知することができる。
● 水平方向チャンネル状態情報(ＣＱＩＨ、ＰＭＩＨ)、即ち、第１チャンネル状態情報に対する週期情報及びサブフレームオフセット値
● 垂直方向チャンネル状態情報(ＣＱＩＶ、ＰＭＩＶ)、即ち、第２チャンネル状態情報に対する週期情報及びサブフレームオフセット値
【００７２】
前記サブフレームオフセット値は、週期内で実際送信を行うサブフレームの位置を決める値である。一例として、周期が１０ミリ秒(ｍｓｅｃ)であり、サブフレームオフセットが５である場合、毎１０ミリ秒の週期内でサブフレーム５で該信号の送信を行うことである。
【００７３】
前記図６で端末が基地局に通知する水平方向のランクと垂直方向のランクは互いに異なるランク制限(ｒｅｓｔｒｉｃｔｉｏｎ)により決定されることができる。ここでランク制限は端末が基準信号(ＲＳ)を測定してランクを決定するとき、これに対する最大値を基地局が事前に設定した値と制限することを意味する。移動通信システムで端末のランクが持つことができる最大値を基地局が制限できるようにすることはシステムを基地局立場で好む方向に運営するための最適化過程の一部である。このように水平方向のランクと垂直方向のランクに対してそれぞれランク制限を適用するためには基地局が端末に次の情報を上位シグナリングを用い、若しくはその他の方式で通報することができる。
１．水平方向ランクの最大値
２．垂直方向ランクの最大値
【００７４】
図７は、本発明の第３実施形態によるチャンネル状態情報送信過程を示す図である。図７でも図６と同様に端末は２つのＣＳＩ−ＲＳに対するチャンネル状態情報を一つのフィードバック過程を通じて基地局に報告している。ただ、前記図６との差は水平方向のランクと垂直方向のランクが前記表１を参照して説明したように一つのＲＩＨＶ６００によって通報されずそれぞれ別にＲＩＨ７００とＲＩＶ７３０によって通報されるという点である。
【００７５】
図７を参照すると、 ＲＩＨ７００が通報された後、これに基づいてＰＭＩＨ７１０とＣＱＩＨ７２０が通報される。またＲＩＶ７３０が通報された後、これに基づいてＰＭＩＶ７４０とＣＱＩＶ７５０が通報される。このようにＲＩＨ７００とＲＩＶ７３０が別に通報される場合にも前記図６と同様に水平チャンネル状態情報と垂直チャンネル状態情報の週期及びランクは相違するように設定されることができる。
【００７６】
図８は、本発明の第４実施形態によるチャンネル状態情報送信過程を示す図である。
図６または図７のように一つのフィードバック過程を用いて複数のＣＳＩ−ＲＳに対するチャンネル状態情報を端末が基地局に報告する場合、前述したように水平方向のプリコーディング及び垂直方向のプリコーディングが同時に適用された場合に対するＣＱＩ値の不在によりシステム性能が低下される問題点がある。
【００７７】
図８を参照すれば端末はＲＩＨＶ８００を基地局へ送信する。これを通じて基地局は水平方向及び垂直方向のランクを獲得または認知することができる。また端末はＰＭＩＨ８１０、ＣＱＩＨ８２０を含む水平方向のチャンネル状態情報を送信する。また水平方向のチャンネル状態情報としてＰＭＩＶ８３０が送信され、水平方向のプリコーディングと垂直方向のプリコーディングを全て考慮したＣＱＩ値であるＣＱＩＨＶ８４０がＰＭＩＶ８３０と同じ時間区間から送信される。前記ＣＱＩＨＶ８４０は水平方向のプリコーディングと垂直方向のプリコーディングが全て適用されたときのＣＱＩに該当する。したがって、ランクも水平方向及び垂直方向のランクの関数で決定される。ここで端末はＣＱＩＨＶ８４０を生成するに当たりランクを前記数式２のように水平方向及び垂直方向のランクの積と仮定する。また、端末はＣＱＩＨＶ８４０を生成するに当たり適用されるプリコーディングを前記数式１のように２つのプリコーディングマトリックスのクロネッカ積と仮定する。
【００７８】
前記８のように一つのフィードバック過程を用いて端末から基地局に水平及び垂直方向のチャンネル状態情報及びＣＱＩＨＶ８４０を通報することは水平方向のプリコーディングと垂直方向のプリコーディングを仮定したＣＱＩＨＶ８４０値を送信することができるようにする。ただ、このような方式の欠点は、水平方向のプリコーディングだけ適用されたという仮定下で生成したＣＱＩＨ８２０が送信されるが実際にこの情報は活用度が低いという点である。前記図８でＣＱＩＨ８２０が送信される理由は水平方向のプリコーディングと垂直方向のプリコーディングを仮定したＣＱＩ値を送信するためにはＰＭＩＨ８１０とＰＭＩＶ８３０に対する情報が必要であるがＣＱＩＨ８２０が送信される時点ではこのうちの一つだけが通報可能であるためである。
【００７９】
図９は、本発明の第５実施形態によるチャンネル状態情報送信過程を示す図である。
図９で提案するチャンネル状態情報の送信では前記図８とは異なり端末が基地局に報告するすべてのＣＱＩ値が水平方向のプリコーディングと垂直方向のプリコーディングが適用されたという仮定下で生成される。前記図９で端末はＰＭＩＶ９００及びＰＭＩＨ９２０、すなわち水平方向のプリコーディングマトリックス及び垂直方向のプリコーディングマトリックスが全て適用されたという仮定下にＣＱＩＨＶ９３０を生成する。すなわち、ＰＭＩＨ９２０と共に送信されるＣＱＩＨＶ９３０は最も最近に送信された垂直方向のプリコーディング関連情報であるＰＭＩＶ９００が指示するプリコーディングマトリックス及びＰＭＩＨ９２０が指示するプリコーディングマトリックスが共に適用されるという仮定下にＣＱＩＨＶ９３０を生成する。同様にＰＭＩＶ９４０と共に送信されるＣＱＩＨＶ９５０は最も最近に送信された水平方向のプリコーディング関連情報であるＰＭＩＨ９２０が指示するプリコーディングマトリックス及びＰＭＩＶ９４０が指示するプリコーディングマトリックスが共に適用されるという仮定下にＣＱＩＨＶ９５０を生成する。このように以前に送信されたＰＭＩＨまたはＰＭＩＶを参照することは一つの時間区間で複数のＰＭＩを送信することを回避するためである。  
【００８０】
前記図９のように端末がＣＱＩが送信されるたびにＣＱＩＨＶを送信するためには特定方向のランクに制限がなければならない。同時に水平及び垂直方向のランクを変えるためには水平及び垂直方向のプリコーディングも新たに変わったランク値により新たに更新されなければならないからである。このような場合、ＣＱＩＨＶは２つのプリコーディングが全て更新された後に送信可能になる。前記図９ではこれを勘案して垂直方向のランクを常に１と固定したことを仮定している。垂直方向のランクが常に１であるから垂直方向のランクには変化がなく端末は常に以前に送信したＰＭＩＶが指定するプリコーディングマトリックス及びＰＭＩＨが指定するプリコーディングマトリックスが共に適用されるという仮定ができるようになる。前記では垂直方向のランクを１と固定させたが水平方向のランクを１と固定しても同じ原理に操作されることができる。水平方向のランクを１と固定させる場合、端末はＲＩＨの代わりにＲＩＶを該送信区間で基地局へ通報する。
【００８１】
前記図９でＲＩ、水平方向のチャンネル状態情報９２０、９３０、垂直方向のチャンネル状態情報９４０、９５０の周期はシステム環境によりそれぞれ異なるように設定されることもできる。
【００８２】
図１０は、本発明の第６実施形態によるチャンネル状態情報送信過程を示す図である。
図１０で端末は前記図９と同様にＣＱＩ送信区間ごとに水平及び垂直方向のプリコーディングが適用されたという仮定下に発生したＣＱＩＨＶを送信する。ただ、前記図１０の実施形態ではＲＩＶ１０００が追加的に送信されて垂直方向のランクを調節することができる。すなわち、端末はＲＩＶ１０００を用いて基地局に垂直方向のランクを通報し、これに基づいてＰＭＩＶ１０１０を通報する。前記ＰＭＩＶ１０１０と共に送信されるＣＱＩＨ(１０２０)Ｖは最も最近に送信されたＲＩＨとＰＭＩＨによって指定されるプリコーディングマトリックス及びＰＭＩＶ１０１０が指定するプリコーディングと共に適用されるという仮定下で生成される。さらに、ＲＩＨ１０３０で水平方向のランクが新たに更新される場合、端末はこれを基準で新しいＰＭＩＨ１０４０を更新して同じ時間区間から送信されるＣＱＩＨＶ１０５０はＰＭＩＶ１０１０が指定するプリコーディングとＰＭＩＨ１０４０が指定するプリコーディングが同時に適用されるという仮定下に生成される。
【００８３】
前記図１０で端末は水平方向及び垂直方向のランクを別に更新することができる。したがって、端末がＣＱＩＨＶ１０２０、１０５０のチャンネル状態情報を生成するのに仮定するランクは前記数式２のように求められる。すなわち、端末はＣＱＩＨＶ１０５０を生成するために適用されるランクをＲＩＶ１０００とＲＩＨ１０３０がそれぞれ指定するランクの積と仮定する。したがって、前記ＣＱＩＨＶ１０５０を送信する区間でＲＩＶ１０００とＲＩＨ１０３０がそれぞれ指定するランクの積が１の場合、一つのＣＱＩを送信するがその積が２以上場合、２つのＣＱＩを送信する。
【００８４】
図１１は、本発明の一実施形態によってＦＤ−ＭＩＭＯシステムで基地局が端末のチャンネル状態情報生成及び送信方式を設定する過程のフローチャートである。
図１１の過程１１００で基地局は当該ＦＤ−ＭＩＭＯ送信端の送信アンテナ個数及び２次元配置状態を確認する。これに基づいて基地局は過程１１１０でＦＤ−ＭＩＭＯチャンネル状態情報を測定するために基地局が送信する水平方向のＣＳＩ−ＲＳＨと垂直方向のＣＳＩ−ＲＳＶをどのように設定するかを判定する。ＣＳＩ−ＲＳＨ及びＣＳＩ−ＲＳＶが設定されることは本発明の一実施形態であり、変形形態によれば他の種類の第１ＣＳＩ−ＲＳ及び第２ＣＳＩ−ＲＳが設定されることもできる。前記過程１１１０で判定されたＣＳＩ−ＲＳＨとＣＳＩ−ＲＳＶに対する設定は過程１１２０で端末に上位シグナリングまたはその他の方式を用いて通報される。さらに、過程１１３０で基地局は端末が設定されたＣＳＩ−ＲＳＨとＣＳＩ−ＲＳＶに対するチャンネル状態情報をどのように基地局に報告しなければならないかを通報する。次いで過程１１４０で基地局は端末が送信したＣＳＩ−ＲＳＨとＣＳＩ−ＲＳＶに対するチャンネル状態情報を受信する。基地局は受信したチャンネル状態情報を用いてスケジューリングのその他システム操作を行う。
【００８５】
図１２は、本発明の一実施形態によってＦＤ−ＭＩＭＯシステムで端末が基地局の指示に従ってチャンネル状態情報を送信する過程のフローチャートである。
図１２の過程１２００で端末は基地局から水平方向のＣＳＩ−ＲＳＨと垂直方向のＣＳＩ−ＲＳＶをどのように受信しなければならないかに対する情報が通報される。ＣＳＩ−ＲＳＨ及びＣＳＩ−ＲＳＶが設定されることは本発明の一実施形態であり、変形形態によれば他の種類の第１ＣＳＩ−ＲＳ及び第２ＣＳＩ−ＲＳが設定されることもできる。また、過程１２１０で端末は基地局から水平方向のＣＳＩ−ＲＳＨと垂直方向のＣＳＩ−ＲＳＶを測定してどのようにチャンネル状態情報を構成して報告するかが通報される。過程１２２０で端末は前記過程１２００と１２１０で設定されたとおりＣＳＩ−ＲＳＨとＣＳＩ−ＲＳＶを測定し、それに相応するチャンネル状態情報を基地局に報告する。チャンネル状態情報の具体的な生成及び送信方式は図５乃至図１０を参照して上述したようである。
【００８６】
図１１及び図１２の実施形態で基地局が明示的にＣＳＩ−ＲＳ及びチャンネル状態情報送信に関する指示を送信することで仮定したが、変形形態によれば、基地局は基地局のＣＳＩ−ＲＳ送信位置、ＣＳＩ−ＲＳの数、各ＣＳＩ−ＲＳに適用されたポート数のうちで少なくとも一部のみを端末に指示し、端末はこれによって予め設定された方式でチャンネル状態情報を生成して送信することもできる。基地局は端末がチャンネル状態情報の生成及び送信方式を確定するのに必要な情報のみを提供すれば充分である。
【００８７】
図１３は、本発明の一実施形態による基地局のブロック構成図である。
図１３を参照すると、基地局は基地局制御機１３００、送信機１３１０及び受信機１３２０を含むことができる。基地局制御機１３００は複数のＣＳＩ−ＲＳに対してどのように設定するかを判定する。基地局制御機１３００は複数のＣＳＩ−ＲＳの送信方式及びそれに相応したチャンネル状態情報生成及び送信方式を判定することができる。送信機１３１０はこのように判定された結果を端末に送信する。送信機１３１０は複数のＣＳＩ−ＲＳを端末に送信する。受信機１３２０は端末が通報する、ＣＳＩ−ＲＳに相応するチャンネル状態情報を受信する。
【００８８】
図１４は、本発明の一実施形態による端末のブロック構成図である。
受信機１４２０は基地局から複数のＣＳＩ−ＲＳに対する設定情報及びチャンネル状態情報の生成及び送信方式に対する指示を受信する。基地局から通報された内容に基づいて端末制御機１４００は端末の複数のＣＳＩ−ＲＳに対する受信を制御する。このとき、受信機１４２０は複数のＣＳＩ−ＲＳを受信する。また、端末制御機１４００は受信された複数ＣＳＩ−ＲＳに基づいて生成されたチャンネル状態情報を生成する。端末制御機１４００は送信機１４１０を制御して生成されたチャンネル状態情報を基地局へ送信する。
【００８９】
このとき、処理フローチャートの図面の各ブロックとフローチャートの図面の組合は、コンピュータープログラムインストラクションによって行われることを理解することができるでしょう。これらコンピュータープログラムインストラクションは、汎用コンピューター、特殊用コンピューターまたはその他のプログラム可能なデータプロセッシング装備のプロセッサーに搭載されることができるので、コンピューターまたはその他のプログラム可能なデータプロセッシング装備のプロセッサーを通じて行われるそのインストラクションがフローチャートブロックで説明された機能を行う手段を生成するようになる。これらコンピュータープログラムインストラクションは特定方式で機能を具現するためにコンピューターまたはその他のプログラム可能なデータプロセッシング装備を志向することができるコンピューター利用可能またはコンピューター判読可能メモリーに記憶されることも可能なので、そのコンピューター利用可能またはコンピューター判読可能メモリーに記憶されたインストラクションはフローチャートブロックで説明された機能を行うインストラクション手段を内包する製造品目を生産することも可能である。コンピュータープログラムインストラクションはコンピューターまたはその他のプログラム可能なデータプロセッシング装備上に搭載されることも可能なので、コンピューターまたはその他のプログラム可能なデータプロセッシング装備上で一連の動作段階が行われてコンピューターで実行されるプロセスを生成してコンピューターまたはその他のプログラム可能なデータプロセッシング装備を行うインストラクションはフローチャートブロックで説明した機能を行うための段階を提供することも可能である。
【００９０】
また、各ブロックは特定された論理的機能を行うための一つ以上の実行可能なインストラクションを含むモジュール、セグメントまたはコードの一部を示すことができる。また、幾つかの代替実行例ではブロックで言及された機能が手順を逸脱して発生することも可能であることを注目しなければならない。例えば、続いて示されている２つのブロックは実は実質的に同時に行われることも可能であり、またはそのブロックが時々該当する機能によって逆順に行われることも可能である。
【００９１】
このとき、本実施形態で用いられる‘〜部’という用語はソフトウェアまたはＦＰＧＡまたはＡＳＩＣのようなハードウェア構成要素を意味し、‘〜部’はどんな役目を行う。しかし、‘〜部’はソフトウェアまたはハードウェアに限定される意味ではない。‘〜部’はアドレシングすることができる記憶媒体にあるように構成されることもでき、若しくはその以上のプロセッサーを再生させるように構成されることもできる。したがって、一例として‘〜部’はソフトウェア構成要素、客体志向ソフトウェア構成要素、クラス構成要素及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と‘〜部’のうちで提供される機能はより小さな数の構成要素及び‘〜部’に結合されるとか追加的な構成要素と‘〜部’でさらに分離することができる。だけでなく、構成要素及び‘〜部’デバイスまたは保安マルチメディアカード内の一つまたはその以上のＣＰＵを再生させるように具現されることもできる。
【００９２】
本発明が属する技術分野の通常の知識を有する者は本発明がその技術的思想や必須な特徴を変更せず他の具体的な形態で実施できるということを理解することができるでしょう。したがって、上述した実施形態はすべての面で例示的なものであり、限定的ではないことで理解しなければならない。本発明の範囲は前記詳細な説明よりは後述する特許請求の範囲によって現わされ、特許請求の範囲の意味及び範囲、そしてその均等概念から導出されるすべての変更または変形された形態が本発明の範囲に含まれることに解釈されなければならない。
【００９３】
一方、本明細書及び図面には本発明の好ましい実施形態に対して開示した。たとえ特定用語が用いられたが、これはただ本発明の記述内容を容易に説明して発明の理解を助けるための一般的な意味で用いられたもので、本発明の範囲を限定するものではない。ここに開示された実施形態の以外にも本発明の技術的思想に基づいて他の変形形態が実施可能であるということは本発明が属する技術分野で通常の知識を有する者に自明なものであろう。
【符号の説明】
【００９４】
６１０、６３０  ＰＭＩ
６２０、６４０  ＣＱＩ
１３００  基地局制御機
１３１０  送信機
１３２０  受信機
１４００  端末制御機
１４１０  送信機
１４２０  受信機
【図１】
0006755092.tif 000005
【図２】
0006755092.tif 000006
【図３】
0006755092.tif 000007
【図４】
0006755092.tif 000008
【図５】
0006755092.tif 000009
【図６】
0006755092.tif 000010
【図７】
0006755092.tif 000011
【図８】
0006755092.tif 000012
【図９】
0006755092.tif 000013
【図１０】
0006755092.tif 000014
【図１１】
0006755092.tif 000015
【図１２】
0006755092.tif 000016
【図１３】
0006755092.tif 000017
【図１４】
0006755092.tif 000018